(57)【要約】【課題】少ないユニット数で構成できると共に、施工性の良好な出窓構造及び該出窓構造に用いる出窓ユニットを提供する。【解決手段】上，下に積層されて配置される１，２階建物ユニット１２，１１の各階外側面である出窓装着壁面１２ｃ，１１ｃに装着されて、各階の建物ユニット１１，１２の高さと略同一高さを有する上，下階出窓ユニット１４，１５を有し、上，下階出窓ユニット１５，１４には、建物ユニット１１，１２の床部１１ｂ，１２ｂと略同一高さに延設された床部１５ａ，１４ａを設け、床部１５ａ，１４ａの外側辺に壁パネル部材１５ｂ〜１５ｄ，１４ｂ〜１４ｄを立設すると共に、少なくとも、壁パネル部材１５ｂ等の一部には、掃き出し窓開口部３６が開口形成されていることを特徴としている。【選択図】　図１
2004060187.tif 000002
【特許請求の範囲】
【請求項１】
上，下に積層されて配置される建物ユニットの各階外側面に装着されて、各階の建物ユニットの高さと略同一高さを有する各階の出窓ユニットを有し、該出窓ユニットには、前記建物ユニットの床部と略同一高さに延設された床部を設け、該床部の外側辺に壁パネル部材を立設すると共に、少なくとも、前記壁パネル部材の一部には、窓部開口が開口形成されていることを特徴とする出窓構造。
【請求項２】
前記出窓ユニットの床部は、上面視多角形形状を呈することを特徴とする請求項１記載の出窓構造。
【請求項３】
上，下に積層されて配置される建物ユニットの各階外側面に装着されて、各階の建物ユニットの高さと略同一高さを有すると共に、前記建物ユニットの床部と略同一高さに延設された床部の外側辺に壁パネル部材を立設して、少なくとも、外壁パネル部材の一部に、窓部開口を開口形成したことを特徴とする請求項１又は２記載の出窓構造に用いる出窓ユニット。
【発明の詳細な説明】
【０００１】
【発明の属する技術分野】
本発明は、少ないユニット数で施工性の良好な出窓構造及び該出窓構造に用いる出窓ユニットに関する。
【０００２】
【従来の技術】
従来、図１１乃至図１３に示すような出窓部が形成されたプレハブの建物１が知られている（特公平７−２１２１８号公報等参照）。
【０００３】
このような建物１では、建物本体１ａの外側面に断面コ字状を呈した出窓サッシユニット２が装着されると共に、この出窓サッシユニット２の上方に連続して壁ユニット３が装着されている。
【０００４】
この壁ユニット３の上方には、更に、２階出窓サッシユニット４が連続するように装着されると共に、この２階出窓サッシユニット４の上部と、軒先５との間には、２階垂壁ユニット６が介装されている。
【０００５】
このように構成された建物１では、上下方向に前記出窓サッシユニット２，壁ユニット３，２階出窓サッシユニット４，２階垂壁ユニット６が積層されて接合されることにより、建物１外壁から所定距離凸設されて、上，下階に跨るように上下方向に連設される出窓構造が得られる。
【０００６】
なお、他のこの種の出窓を有する建物としては、特開２０００−１３００２６号公報に記載されているような上面視略台形の出窓部を有するもの等も知られている。
【０００７】
【発明が解決しようとする課題】
しかしながら、上記従来の建物１では、各階の床部から天井部までの高さに比して、前記出窓サッシユニット２，２階出窓サッシユニット４の高さが小さいため、各出窓サッシユニット２，２階出窓サッシユニット４間及び軒先５との間に、壁ユニット３及び２階垂壁ユニット６を介装させなければならない。
【０００８】
このため、ユニット数が増大してしまうと共に、接合部分の増大に伴って施工工数も増大してしまうといった問題があった。
【０００９】
また、各ユニット間の接合施工時に、防水施工を行わなければならず、施工が煩雑になるといった問題もあった。
【００１０】
そこで、本発明は、上記の問題に鑑みて為されたものであり、少ないユニット数で構成できると共に、施工性の良好な出窓構造及び該出窓構造に用いる出窓ユニットを提供することを課題とするものである。
【００１１】
【課題を解決するための手段】
上記課題を解決するために、請求項１に記載のものでは、上，下に積層されて配置される建物ユニットの各階外側面に装着されて、各階の建物ユニットの高さと略同一高さを有する各階の出窓ユニットを有し、該出窓ユニットには、前記建物ユニットの床部と略同一高さに延設された床部を設け、該床部の外側辺に壁パネル部材を立設すると共に、少なくとも、前記壁パネル部材の一部には、窓部開口が開口形成されている出窓構造を特徴としている。
【００１２】
このように構成された請求項１記載のものでは、前記出窓ユニットに前記各階の建物ユニットの高さと略同一高さを有する各階の出窓ユニットを積層するだけで、上，下階に跨るように上下方向に連設される出窓構造が得られる。
【００１３】
また、予め各出窓ユニット毎に防水施工を行うことが出来るので、施工現場では、上下方向に各出窓ユニットを接合するだけで、略施工が完了する。
【００１４】
このため、接合箇所も少なく、施工工数が増大することもないので、施工性を良好なものとすることができる。
【００１５】
また、請求項２に記載されたものでは、前記出窓ユニットの床部は、上面視多角形形状を呈する請求項１記載の出窓構造を特徴としている。
【００１６】
ここで、上面視多角形形状とは、三角形、正方形、長方形、台形、五角形、六角形…等、建物ユニット側に沿う辺に加えて、少なくとも２辺以上の外側辺が設けられた三角形以上の多辺形のことである。
【００１７】
このように構成された請求項２記載のものでは、少なくとも１辺の外側辺が上面視で直線であるので、平板状の壁パネル部材を組み合わせて容易に、防水性の良好な出窓ユニットを構成出来る。
【００１８】
更に、請求項３に記載されたものでは、上，下に積層されて配置される建物ユニットの各階外側面に装着されて、各階の建物ユニットの高さと略同一高さを有すると共に、前記建物ユニットの床部と略同一高さに延設された床部の外側辺に壁パネル部材を立設して、少なくとも、外壁パネル部材の一部に、窓部開口を開口形成した請求項１又は２記載の出窓構造に用いる出窓ユニットを特徴としている。
【００１９】
このように構成された請求項３記載のものでは、建物側面に上下方向に複数の該出窓ユニットを積層して装着するだけで、容易に上，下階に跨るように上下方向に連設される出窓構造が得られる。
【００２０】
【発明の実施の形態１】
以下、本発明の実施の形態１に係る出窓構造及び該出窓構造に用いる出窓ユニットを図１乃至図１０を用いて説明する。
【００２１】
この実施の形態１に係るユニット建物では、主に図１及び図２に示すように、上，下に積層されて配置される１，２階建物ユニット１１，１２の上部に屋根ユニット１３が載置されて、ユニット建物１０が概略構成されている。
【００２２】
各階建物ユニット１１，１２の外側面１１ａ，１２ａには、上，下階出窓ユニット１４，１５が各々装着されている。
【００２３】
これらの上，下階出窓ユニット１４，１５は、建物ユニット１１の高さと略同一高さを有している。また、各出窓ユニット１５，１４には、前記建物ユニット１１，１２の床部１１ａ，１２ａと略同一高さに延設された上面視略台形形状で正確には六角形形状を呈する床部１５ａ，１４ａが設けられている。
【００２４】
図５乃至図８は、一階に装着される下階出窓ユニット１５の床部１５ａを示している。
【００２５】
この床部１５ａは、図２中に示される出窓部基礎１６上面に沿って、図６に示すように六角形形状を呈して、この六角形形状の建物ユニット１１側側辺以外の外側縁に割り付けられるランバ材１７〜１９と、このランバ材１７〜１９上面に組み付けられる床枠組み材２０〜２６と、これらの床枠組み材２０〜２６上面を覆い、前記建物ユニット１１の床部１１ａを構成する隣接貼設された床面材１１ｂと略同一高さとなる床面材２７〜２９とによって主に構成されている。
【００２６】
また、図２に示すように、上階出窓ユニット１４の床部を構成する床面材３０も、２階の建物ユニット１２の床部１２ａを構成する隣接貼設された床面材１２ｂと略同一高さとなるように構成されている。
【００２７】
更に、この実施の形態１では、これらの床部１４ａ，１５ａの各外側辺に、平板状の壁パネル部材１４ｂ〜１４ｄ及び１５ｂ〜１５ｄが立設されている。
【００２８】
これらの各壁パネル部材１４ｂ…は、複数のランバ材３１及び断熱材３２を、石膏ボード３３，合板３４又は硬質木片セメント板３５によって挟持して主に構成されている。
【００２９】
このうち、前記建物ユニット１１の出窓装着壁面１１ｃと平行に装着される壁パネル部材１５ｂには、掃き出し窓部開口３６が、開口形成されていて、この掃き出し窓開口部３６に引き違い形状の掃出窓３７が装着されている。
【００３０】
この実施の形態１の掃出窓３７は、上，下及び左，右方向寸法を壁パネル部材１５ｂの枠体を全周に渡って残すように略全面に渡って設定されている。
【００３１】
また、この壁パネル部材１５ｂの左，右両側に位置して、前記出窓装着壁面１１ｃに対して所定の角度傾斜して装着される左，右壁パネル部材１５ｃ，１５ｃには、前記掃出窓３７と、上下方向の寸法を略同一とする側窓３８，３８が各々装着されている。
【００３２】
更に、この壁パネル部材１５ｃ，１５ｃと前記壁パネル部材１５ｂとの間に位置すると共に、前記建物ユニット１１の出窓装着壁面１１ｃに対して略垂直に装着される壁パネル部材１５ｄ，１５ｄには、図１０に示すように、上面視略Ｌ字状の連結板部材３９，３９が、石膏ボード３３と、硬質木片セメント板３５との間に介装されている。
【００３３】
そして、これらの連結板部材３９，３９を釘４０…等によって、前記１階建物ユニット１１の開口部１１ｄ周縁に、固定するように構成されている。
【００３４】
また、前記上階出窓ユニット１４も、この下階出窓ユニット１５と概略同様に構成されている。主な相違点は、前記建物ユニット１２の出窓装着壁面１２ｃと平行に装着される壁パネル部材１４ｂには、腰の高さに下縁部を有する腰窓部開口４１が、この壁パネル部材１４ｂの上側略半分に、周縁に略全周の枠体を残したまま開口形成されていて、この腰窓開口部４１に腰窓４２が装着されている。
【００３５】
また、この壁パネル部材１４ｂの左，右両側に位置して、前記出窓装着壁面１２ｃに対して所定の角度傾斜して装着される左，右壁パネル部材１４ｃ，１４ｃには、前記腰窓４２と、上下方向の寸法を略同一とする側窓４３，４３が各々装着されている。
【００３６】
更に、この上階出窓ユニット１４の上部には、図３に示すように、屋根パネル部材４４が装着されている。
【００３７】
すなわち、前記腰窓開口部４１の上側枠体を構成するランバ材３１下面に固定頭板部４６ａが釘４０，４０によって固定されて、締結ロッド部材４６のロッド４６ｂ先端が、最上面のランバ材３１から上方に向けて突設されている。
【００３８】
このロッド先端には、ネジ部４６ｃが形成されている。このネジ部４６ｃは、前記屋根パネル部材４４載置状態で、前記屋根パネル部材４４の前側ランバ部材４５に貫通するように構成されている。
【００３９】
そして、この前側ランバ部材４５を貫通したネジ部４６ｃには、爪付きワッシャ部材４７が介在されて、ナット部材４８が螺着されることによって、この屋根パネル部材４４が前記上階出窓ユニット１４の上面側を覆うように固定されている。
【００４０】
また、この屋根パネル部材４４の後縁部に位置するランバ材４９は、図９に示すように、屋根ユニット１３側ランバ材３１，３１との間に、スペーサ合板５２を介在させると共に、釘４０によって、前記屋根ユニット１３の下縁部に設けられたランバ材３１に固定されている。
【００４１】
更に、前記上，下階出窓ユニット１４，１５の連結も、締結ロッド部材５６によって行われる。
【００４２】
すなわち、図４に示すように、前記掃き出し窓開口部３６の上側枠体の一部を構成するランバ材３１下面には、締結ロッド部材５６の固定頭板部５６ａが釘４０，４０によって固定されていて、この締結ロッド部材５６のロッド５６ｂ先端に形成されたネジ部５６ｃが、上方に向けて貫通されている。
【００４３】
そして、この上階出窓ユニット１４の下縁側を構成するランバ材３１に、このネジ部５６ｃが貫通されて、位置決め載置が行われる。
【００４４】
次に、このランバ材３１から上方に突出したネジ部５６ｃに、爪付きワッシャ部材４７を介在させて、ナット部材４８が螺着されて締結されることによって、前記上階出窓ユニット１４が、前記下階出窓ユニット１５の上部に、上，下方向に連続するように装着される構成としている。
【００４５】
また、図９に示すように、この上階出窓ユニット１４の床部１４ａのユニット建物１２側側縁に設けられた床根太５０は、建物ユニット１４の側縁部に設けられた床根太５１との間にスペーサ合板５２を介在させて、連結ボルト５３及びナット５４等が用いられて締結されることにより、建物ユニット１２の床部１２ａに連結されている。
【００４６】
次に、この実施の形態１の作用について説明する。
【００４７】
この実施の形態１では、前記出窓部基礎１６に、下階出窓ユニット１５を載置して、図１０に示すように、前記連結板部材３９，３９が釘４０…等によって、前記１階建物ユニット１１の開口部１１ｄ周縁に固定される。
【００４８】
前記下階出窓ユニット１５は、前記１階建物ユニット１１の高さと略同一高さを有するので、この下階出窓ユニット１５の載置、及び固定作業によって、出窓部の１階部分の施工が略完了する。
【００４９】
このように、前記下階出窓ユニット１５が固定された後、図１に示すように前記下階出窓ユニット１５の上部に、前記上階出窓ユニット１４が載置される。
【００５０】
すなわち、図４に示すように、前記掃き出し窓開口部３６の上側枠体の一部を構成するランバ材３１から上方に向けて突設された締結ロッド部材５６のロッド５６ｂ先端が、前記上階出窓ユニット１４の下縁側を構成するランバ材３１のロッド孔に合わせられて挿通される。
【００５１】
従って、前記上階出窓ユニット１４は、位置決めされて、前記下階出窓ユニット１５の上部に載置されて、前記外壁材である上，下階の硬質木片セメント板３５，３５の面位置を面内外方向で揃えることができる。
【００５２】
前記ランバ材３１から上方に向けて突出されたネジ部５６ｃには、爪付きワッシャ部材４７を介在させて、ナット部材４８が螺着されることにより、締結される。
【００５３】
また、図８に示す床面材２９は外されて、作業開口となる。そして、この作業開口を介して、図９に示すように、この上階出窓ユニット１４の床部１４ａのユニット建物１２側側縁に設けられた床根太５０が、建物ユニット１４の側縁部に設けられた床根太５１との間にスペーサ合板５２を介在させて、連結ボルト５３先端のネジ部にナット５４を螺合させることにより締結される。
【００５４】
更に、前記下階出窓ユニット１５と略同様に図１０に示すように、この上階出窓ユニット１４の前記連結板部材３９，３９が釘４０…等によって、前記２階建物ユニット１２の開口部周縁に固定される。
【００５５】
この上階出窓ユニット１４は、２階建物ユニット１２の高さと略同一高さを有しているので、前記各階の建物ユニット１１，１２の高さと略同一高さを有する上，下階出窓ユニット１４，１５が積層されるだけで、上，下階に跨るように上下方向に連設される出窓構造が得られる。
【００５６】
次に、図１に示すように、前記上階出窓ユニット１４の上部に、前記屋根パネル部材４４が載置される。
【００５７】
この際、前記腰窓開口部４１の上側枠体を構成するランバ材３１上面から突設された、前記締結ロッド部材４６のロッド４６ｂ先端が、前記屋根パネル部材４４の前側ランバ部材４５に貫通されて位置決め載置される。
【００５８】
次に、この前側ランバ部材４５を貫通したネジ部４６ｃに、爪付きワッシャ部材４７を介在させて、ナット部材４８が螺合されて接続される。
【００５９】
更に、この屋根パネル部材４４の後縁部に位置するランバ材４９が、図９に示すように、屋根ユニット１３側ランバ材３１，３１との間に、スペーサ合板５２を介在させて、釘４０によって、前記屋根ユニット１３の下縁部に設けられたランバ材３１に固定される。
【００６０】
このため、この屋根パネル部材４４が前記上階出窓ユニット１４の上面側を覆うように固定されて、別途防水施工を行うことなく、出窓部の雨仕舞いが完了する。
【００６１】
また、予め各出窓ユニット１４，１５毎に防水施工を行うことが出来るので、施工現場では、上下方向に各出窓ユニット１４，１５及び屋根パネル部材４４を接合するだけで、略施工が完了する。
【００６２】
このため、接合箇所も少なく、施工工数が増大することもないので、施工性を良好なものとすることができる。
【００６３】
また、この実施の形態１は、少なくとも１辺の外側辺が上面視で直線であるように、出窓部の上面形状が略台形で、正確には六角形形状を呈しているので、平板状の壁パネル部材１４ｂ〜１４ｄ及び１５ｂ〜１５ｄを組み合わせて容易に、防水性の良好な出窓ユニット１４，１５を構成出来る。
【００６４】
更に、ユニット建物側面に上下方向に複数の上，下階出窓ユニット１４，１５を積層して装着するだけで、容易に上，下階に跨るように上下方向に連設される出窓構造が得られるので、前記下階出窓ユニット１５の壁パネル部材１５ｂ〜１５ｄに形成される掃き出し窓開口部３６及び側窓３８，３８の開口面積を大きく設定することにより、ピロティ構造に近い構成の建物構造をユニット建物１０で得られる。
【００６５】
また、前記床部１４ａ又は１５ａを屋外用に防水施工することにより、テラス構造に近い構成の建物構造をユニット建物１０で得られ、設計の自由度を向上させることができる。
【００６６】
また、この実施の形態１では、前記上，下階出窓ユニット１４，１５間の接合及び、これらの上，下階出窓ユニット１４，１５と、前記建物ユニット１１，１２との間の接合は、既存の建物ユニット間の接合構造と略同様とすることが出来るので、接合に必要とされる部品を共用化して、部品の種類の増大を抑制することができる。
【００６７】
しかも、各上，下階出窓ユニット１４，１５及び屋根パネル部材４４は、工場にて施工されて、施工現場に搬入されるので、施工信頼性を向上させることができる。
【００６８】
以上、実施の形態１を用いて本願発明に係る出窓構造及び該出窓構造に用いる出窓ユニットを説明してきたが、本発明に係る出窓構造及び該出窓構造に用いる出窓ユニットは、実施の形態１において示したものには、限定されない。
【００６９】
例えば、実施の形態１においては、下階としての１階部分と、上階としての２階部分とを有するユニット建物を用いて説明してきたが、特にこれに限らず、例えば、３階建てのユニット建物で、実施の形態１の１階部分に相当する２階部分を下階として、実施の形態１の２階部分に相当する３階部分を上階として構成されるようなものであってもよく、このようなユニット建物に用いられる出窓構造及び該出窓構造に用いる出窓ユニットの形状、数量及び材質が特に限定されるものではない。
【００７０】
また、各壁パネル部材１４ｂ〜１４ｄ及び１５ｂ〜１５ｄに形成される窓開口部及び窓の形状及び構造も、前記掃出窓３７或いは、腰窓４２等に限らず、例えば、上，下引き違い窓や、ウイング開閉窓、嵌め殺し窓等であっても良く、開閉機構の有無や、数量、形状及び材質が特に限定されることなく、少なくとも、前記壁パネル部材の一部に開口形成された窓部開口に用いられるものであるならばよいことは当然である。
【００７１】
【発明の効果】
以上説明してきたように、請求項１に記載された発明では、前記出窓ユニットに前記各階の建物ユニットの高さと略同一高さを有する各階の出窓ユニットを積層するだけで、上，下階に跨るように上下方向に連設される出窓構造が得られる。
【００７２】
また、予め各出窓ユニット毎に防水施工を行うことが出来るので、施工現場では、上下方向に各出窓ユニットを接合するだけで、略施工が完了する。
【００７３】
このため、接合箇所も少なく、施工工数が増大することもないので、施工性を良好なものとすることができる。
【００７４】
また、請求項２に記載されたものでは、少なくとも１辺の外側辺が上面視で直線であるので、平板状の壁パネル部材を組み合わせて容易に、防水性の良好な出窓ユニットを構成出来る。
【００７５】
更に、請求項３に記載されたものでは、建物側面に上下方向に複数の該出窓ユニットを積層して装着するだけで、容易に上，下階に跨るように上下方向に連設される出窓構造が得られる、という実用上有益な効果を発揮する。
【図面の簡単な説明】
【図１】本発明の実施の形態１に係る出窓構造及び該出窓構造に用いる出窓ユニットで、全体の構成を説明する分解斜視図である。
【図２】実施の形態１に係る出窓構造及び該出窓構造に用いる出窓ユニットで、図１中Ａ−Ａ線に沿った位置での断面図である。
【図３】実施の形態１に係る出窓構造及び該出窓構造に用いる出窓ユニットで、図２中Ｂ部を拡大した上階出窓ユニットと屋根パネル部材との接合構造を説明する詳細断面図である。
【図４】実施の形態１に係る出窓構造及び該出窓構造に用いる出窓ユニットで、図２中Ｃ部を拡大した上階出窓ユニットと下階出窓ユニットとの接合構造を説明する詳細断面図である。
【図５】実施の形態１に係る出窓構造及び該出窓構造に用いる出窓ユニットで、建物ユニットと出窓ユニットとを上方から見た模式図である。
【図６】実施の形態１に係る出窓構造で、出窓部の出窓部基礎の上面に載置されるランバ材の構成を示す上面図である。
【図７】実施の形態１に係る出窓構造で、出窓部の床部構造を説明する床面材を外した構成を示す上面図である。
【図８】実施の形態１に係る出窓構造で、出窓部の床部構造を説明する床面材の構成を示す上面図である。
【図９】実施の形態１に係る出窓構造で、図５中Ｄ−Ｄ線に沿った位置での出窓ユニットと、建物ユニットとの接合構造を説明する断面図である。
【図１０】実施の形態１に係る出窓構造で、図５中Ｅ部での出窓ユニットと、建物ユニットとの接合構造を説明する詳細水平断面図である。
【図１１】従来例の建物で、出窓サッシュユニットを出窓壁ユニットに用いた建物の部分正面図である。
【図１２】従来例の建物で、出窓サッシュユニットと出窓壁ユニットとの構成を説明する分解斜視図である。
【図１３】従来例の建物で、図１１中Ｆ−Ｆ線に沿った位置での構成を説明する断面図である。
【符号の説明】
１０　　　　　　　ユニット建物
１１　　　　　　　１階建物ユニット
１１ａ　　　　　　床部
１１ｃ　　　　　　出窓装着壁面
１２　　　　　　　２階建物ユニット
１２ａ　　　　　　床部
１２ｃ　　　　　　出窓装着壁面
１４　　　　　　　上階出窓ユニット
１４ａ　　　　　　床部
１４ｂ〜１４ｄ　　壁パネル部材
１５　　　　　　　下階出窓ユニット
１５ａ　　　　　　床部
１５ｂ〜１５ｄ　　壁パネル部材
３６　　　　　　　掃き出し窓開口部（窓部開口）
３７　　　　　　　掃出窓
３８　　　　　　　側窓
４１　　　　　　　腰窓開口部（窓部開口）
４２　　　　　　　腰窓
【図１】
2004060187.tif 000003
【図２】
2004060187.tif 000004
【図３】
2004060187.tif 000005
【図４】
2004060187.tif 000006
【図５】
2004060187.tif 000007
【図６】
2004060187.tif 000008
【図７】
2004060187.tif 000009
【図８】
2004060187.tif 000010
【図９】
2004060187.tif 000011
【図１０】
2004060187.tif 000012
【図１１】
2004060187.tif 000013
【図１２】
2004060187.tif 000014
【図１３】
2004060187.tif 000015